(57)【要約】【課題】  衝突した歩行者の脚部に対する曲げ角度を軽減すると共に、衝撃力とせん断変位とを同時に軽減することのできる自動車用バンパを提供する。【解決手段】  車両２００の前部に、車幅方向に亘り形成された自動車用バンパ１００であって、車幅方向に延設され、バンパビーム２の前方に取り付けられた衝撃吸収部材３と、前記衝撃吸収部材３よりも下方において車幅方向に延設されると共に車両前後方向の断面形状が多角形に形成された下部補強部材４とを備え、車両前方から衝突による衝撃を受けた際、前記下部補強部材４がラッパ形状に変形すると共に、前記下部補強部材４の潰れ残り先端部が前記衝撃吸収部材３の潰れ残り先端部よりも車両前方に位置するように構成した。【選択図】  図２
2005297726.tif 000002
【特許請求の範囲】
【請求項１】
車両の前部に、車幅方向に亘り形成された自動車用バンパであって、
車幅方向に延設され、バンパビームの前方に取り付けられた衝撃吸収部材と、前記衝撃吸収部材よりも下方において車幅方向に延設されると共に車両前後方向の断面形状が多角形に形成された下部補強部材とを備え、
車両前方から衝突による衝撃を受けた際、前記下部補強部材がラッパ形状に変形すると共に、前記下部補強部材の潰れ残り先端部が前記衝撃吸収部材の潰れ残り先端部よりも車両前方に位置するように構成されたことを特徴とする自動車用バンパ。
【請求項２】
前記下部補強部材は、車体側構造物に面接触して取り付けられることを特徴とする請求項１に記載された自動車用バンパ。
【請求項３】
前記下部補強部材は、車両前後方向の断面形状において、前記下部補強部材の前端部と後端部との間の上方部と下方部のそれぞれに、少なくとも一つの頂点が位置するように設置されることを特徴とする請求項１または請求項２に記載された自動車用バンパ。
【請求項４】
前記下部補強部材の車両後方を臨む面に、車両前後方向に並列に複数の溝部が形成されていることを特徴とする請求項１乃至請求項３のいずれかに記載された自動車用バンパ。
【請求項５】
前記下部補強部材は、車両前後方向の断面形状における内角の設定により強度調整されることを特徴とする請求項１乃至請求項４のいずれかに記載された自動車用バンパ。
【請求項６】
前記下部補強部材は、中空体として形成されていることを特徴とする請求項１乃至請求項５のいずれかに記載された自動車用バンパ。
【請求項７】
前記衝撃吸収部材を内包するメインバンパ部と、前記下部補強部材を内包し、空気整流部材として機能するエアダム部とを含むバンパフェースを備えることを特徴とする請求項１乃至請求項６のいずれかに記載された自動車用バンパ。
【請求項８】
前記衝撃吸収部材を内包するメインバンパ部と、空気整流部材として機能するエアダム部とを含むバンパフェースを備え、
前記エアダム部により前記下部補強部材を構成することを特徴とする請求項１乃至請求項６のいずれかに記載された自動車用バンパ。
【請求項９】
前記下部補強部材の車両前後方向における断面形状は、六角形であることを特徴とする請求項１乃至請求項８のいずれかに記載された自動車用バンパ。
【発明の詳細な説明】
【技術分野】
【０００１】
本発明は、走行中の車両と歩行者の脚部とが衝突した際に、歩行者脚部への衝撃を緩和する自動車用バンパに関する。
【背景技術】
【０００２】
フロントフード（ボンネット）を有する自動車が走行中に歩行者と衝突する場合、その多くは、最初に歩行者の脚部が車両のフロントバンパ部に接触する。そのため通常、前記歩行者の脚部には相当の衝撃が加わり、歩行者脚部への傷害は避けられない。
こうした課題に対して、走行中の車両が歩行者の脚部に衝突した際に、前記脚部に対する傷害を出来るだけ軽減する車体構造が提案されている。
例えば特許文献１（特開２００１−１０４２３号公報）には、衝突した歩行者を確実に車両のフロントフード上に持ち上げる車体構造が開示されている。
【０００３】
特許文献１に示される車両の前部車体構造を図１２に示す。図１２において、前方に延びるフロントフード５１の前方下部にフロントバンパ５９が形成されている。前記フロントバンパ５９は、バンパフェース５３と、その後部において車幅方向に延びるバンパレインフォースメント（バンパビーム）５７とを備え、さらに前記バンパフェース５３の下部には車幅方向に延びて、バンパフェース５３と一体的に形成された延設部材６３を備えている。
また、前記延設部材６３の後方には、車体側構造部材６０から前方に突出した受け部材６２を備えている。前記受け部材６２の前端と前記延設部材６３の背面との間には所定の間隔Ｓが設けられ、前記延設部材６３が受け部材６２に当接する位置は、バンパレインフォースメント５７より前部の位置に設定されている。
【０００４】
このように構成された車両の前部車体構造であるため、歩行者との衝突時には、先ずバンパフェース５３の下部に一体的に設けられた延設部材６３が間隔Ｓを変形移動して後退する。そして、この延設部材６３はバンパレインフォースメント５７より前側において受け部材６２に当接して、この荷重が受け部材６２にて受け止められる。
このため、車両と歩行者の衝突の際には、前記延設部材６３で歩行者の膝よりも下部にて歩行者の足を払い、歩行者を確実にフロントフード５１上に乗せて、（歩行者を車両下に巻き込む等の）二次障害を防止するようになされている。
【特許文献１】特開２００１−１０４２３号公報（第３頁右欄第１行乃至第４頁右欄第９行、第１図乃至第３図）
【発明の開示】
【発明が解決しようとする課題】
【０００５】
ところで、自動車バンパ部との衝突による歩行者脚部にかかる負荷は、例えば傷害値として「下脚Ｇ」、「せん断変位」、「曲げ角度」の３つに分類され、数値化することができる。前記「下脚Ｇ」は膝から下の下脚部にかかる負荷であって、その傷害値は荷重または加速度で表され、また、前記「せん断変位」は上脚部および膝部と下脚部との間に働く負荷であって、その傷害値は、荷重または膝屈曲角度で表される。そして、前記「曲げ角度」は膝部にかかる負荷であって、その傷害値は荷重または膝屈曲角度で表される。
【０００６】
前記特許文献１に示される自動車の前部車体構造においては、前記延設部材６３で歩行者の膝よりも下部にて歩行者の脚を払うため、歩行者をフロントフード上に素早く持ち上げることができる。このため歩行者の膝部にかかる負荷が少なくなり、すなわち前記傷害値における「曲げ角度」は小さくなる。
しかしながら前記車体構造において、フロントバンパ下部に位置する延設部材６３には鉄等の金属製のパイプが用いられ、また受け部材６２にも鉄板等の金属板が用いられている。このためフロントバンパ下部における機械的剛性が高く、下脚部に対する衝撃（荷重）が大きくなることは避けられない。
したがって、下脚部に対する「下脚Ｇ」および「せん断変位」が大きくなり、衝突した歩行者は、膝部の靱帯損傷、局所的な骨折等を受け易いという課題があった。
【０００７】
本発明は、前記したような事情の下になされたものであり、衝突した歩行者の脚部に対する曲げ角度を軽減すると共に、衝撃力とせん断変位とを同時に軽減することのできる自動車用バンパを提供することを目的とする。
【課題を解決するための手段】
【０００８】
上記課題を解決するために、本発明にかかる自動車用バンパは、車両の前部に、車幅方向に亘り形成された自動車用バンパであって、車幅方向に延設され、バンパビームの前方に取り付けられた衝撃吸収部材と、前記衝撃吸収部材よりも下方において車幅方向に延設されると共に車両前後方向の断面形状が多角形に形成された下部補強部材とを備え、車両前方から衝突による衝撃を受けた際、前記下部補強部材がラッパ形状に変形すると共に、前記下部補強部材の潰れ残り先端部が前記衝撃吸収部材の潰れ残り先端部よりも車両前方に位置するように構成されたことに特徴を有する。
【０００９】
下部補強部材の潰れ残り先端部が衝撃吸収部材の潰れ残り先端部よりも車両前方に位置するように構成することによって、歩行者の下脚部は前記下部補強部材の潰れ残り先端部によって払われる。これにより、歩行者を確実にフロントフード上に乗せることができ、傷害値における「曲げ角度」を低減することができる。
また、下部補強部材の断面形状が多角形に形成されているため、前記多角形の頂点を通る縁辺から折れて潰れやすく、潰れたときの断面形状を略ラッパ状にすることができ、歩行者の下脚部をより広い面積で受け止め、負荷を分散させることができる。すなわち、歩行者の下脚部に対する「下脚Ｇ」を軽減することができる。さらに、衝撃吸収部材と下部補強部材との双方により衝撃吸収が行われ、傷害値としての「せん断変位」が軽減される。
【００１０】
また、前記下部補強部材は、車両側構造物に面接触して取り付けられることが望ましい。
すなわち、前記下部補強部材を車両側構造物に面接触して取り付けることにより、下部補強部材の後部における強度が向上し、下部補強部材の前部のみをより潰れ易くすることができる。
なお、車両側構造物として、例えばラジエータパネルのロアフレーム等を用いれば、前記車両側構造物として別個に（下部補強部材用の）バンパビーム等を設ける必要がないため、コスト低減および車両軽量化を図ることができる。
【００１１】
また、前記下部補強部材は、車両前後方向の断面形状において、前記下部補強部材の前端部と後端部との間の上方部と下方部のそれぞれに、少なくとも一つの頂点が位置するように設置されることが好ましい。
例えば、前記断面形状を四角形や六角形とした場合、その対角線の１つが前記下部補強部材の前端部と後端部との間の上方部と下方部のそれぞれに、一つの頂点が位置するように配置すれば、前記対角線が折れ目の境となり衝突の際に下部補強部材の前部のみが潰れ易くなる。
【００１２】
また、前記下部補強部材は、車両後方を臨む面に、車両前後方向に並列に複数の溝部が形成されていてもよい。
このように車両前後方向に並列な溝部を形成することによって、前記下部補強部材の後部強度をより向上することができ、前部のみをより潰れ易くすることができる。
【００１３】
また、前記下部補強部材は、車両前後方向の断面形状における内角の設定により強度調整されることが望ましい。
すなわち、下部補強部材の強度は、バンパ全体の強度、形状に密接に関係するものであり、車体のレイアウト（車高等）毎に調整する必要がある。このため、前記内角の設定で強度調整を行なうことにより、車種（レイアウト）毎に最適な強度調整を行なうことができる。
【００１４】
また、前記下部補強部材は、中空体として形成されていることが好ましい。前記下部補強部材が潰れた際に、車両前後方向の断面形状はラッパ状になるが、前記下部補強部材が中空体であることにより、潰れた際の変形量をより大きくすることができる。すなわち、これによりラッパ状に変形した前面（略平面部分）の面積をより大きくすることができる。
さらには、前記下部補強部材が中空体であることにより、車体軽量化を図ることができる。
【００１５】
また、前記衝撃吸収部材を内包するメインバンパ部と、前記下部補強部材を内包し、空気整流部材として機能するエアダム部とを含むバンパフェースを備えることが望ましい。
このように構成することで、前記衝撃吸収部材と下部補強部材の劣化抑制および意匠面の向上の効果を得ることができる。
また、前記衝撃吸収部材を内包するメインバンパ部と、空気整流部材として機能するエアダム部とを含むバンパフェースを備え、前記エアダム部により前記下部補強部材を構成してもよい。
このように構成すれば、バンパフェースの他に別個に下部補強部材を設ける必要がないため、車両の軽量化が図れると共に製造コストを低減することができ、また組立工程をより簡略化することができる。
【００１６】
また、前記下部補強部材の断面形状は、六角形であることが好ましい。
このとき、前記下部補強部材の前端部と後端部との間の上方部と下方部のそれぞれに、頂点が位置するように前記下部補強部材を設置することにより、衝突の衝撃により潰れた前記下部補強部材の断面形状を、その前面積が大きいラッパ形状にすることができる。
【発明の効果】
【００１７】
本発明によれば、衝突した歩行者の脚部に対する曲げ角度を軽減すると共に、衝撃力とせん断変位とを同時に軽減することのできる自動車用バンパを提供することができる。
【発明を実施するための最良の形態】
【００１８】
以下、この発明に係る第１の実施形態について、図１乃至図５に基づいて説明する。図１は、第１の実施形態に係る自動車用バンパの概略構造を示す斜視透視図である。図２は、第１の実施形態に係る自動車用バンパの断面図である。図３は、図１の自動車用バンパが備える下部補強部材の斜視図である。図４は図１の自動車用バンパが前方からの衝突衝撃により潰れた状態の断面図である。また、図５は、図１の自動車用バンパに歩行者脚インパクタ（歩行者の脚模型）が衝突した状態を示した側面図である。
【００１９】
図１に示すように、フロントフード３０を有する車両２００の前方に装備された自動車用バンパ１００は、その外装をなす樹脂製のバンパフェース１と、内部が中空状態に形成され、車幅方向に延設されたアルミ合金製のバンパビーム２とを備える。なお、前記バンパビーム２は、車体フレーム（図示しない）に固定して取り付けられている。
さらに、前記バンパビーム２の前部に取り付けられ、前記バンパフェース１との間に介装された衝撃吸収部材３を備え、この衝撃吸収部材３よりも下方には、車幅方向に延設された下部補強部材４を備えている。
【００２０】
図２の断側面図に示すように、前記バンパフェース１は、その上部が車体ステー７に対しビス８によって固定され、その下部は車体側構成部材の１つであるラジエータパネルのロアフレーム５に対しビス９によって固定されている。
そして、前記衝撃吸収部材３は、バンパフェース１に形成されたメインバンパ部１ａに内包されると共に前記バンパビーム２の前方に取り付けられている。
この衝撃吸収部材３は、例えば発泡形成された樹脂により形成され、歩行者（上脚部）が衝突したときに容易に潰れることによって衝撃を吸収し、歩行者の上脚に加わる負荷を緩和するようにされている。
【００２１】
また、図２、図３に示すように、前記下部補強部材４には取付用プレート４ａが一体形成されており、この取付用プレート４ａには複数のビス穴４ｂが設けられている。これらビス穴４ｂに複数のビス１０が嵌められ、ロアフレーム５に対し下部補強部材４が取り付けられている。このとき、下部補強部材４の後端部４ｉに形成された一面４ｄは、垂直な平面の状態となっている。そして、この一面４ｄはロアフレーム５の前方垂直面５ａと面接触している。これにより、前記下部補強部材４は、バンパフェース部１に形成されたエアダム部１ｂに内包されると共に前記ロアフレーム５に固定される。
さらに、前記下部補強部材４は、例えばプラスチック樹脂により形成され、図２、図３に示すように内部が中空状態で、かつ、その断面形状が頂点４ｖを有する六角形（多角形）となるように形成されている。そして、この下部補強部材４は、その前記断面形状において、前端部４ｈと後端部４ｉとの間の上方部と下方部のそれぞれに、一つの頂点４ｖが位置するように取り付けられている。また、前記断面形状の各頂点４ｖを夫々形成する車幅方向の縁辺（稜線）４ｅは、曲線または折れ線の状態に形成されている。
【００２２】
この自動車用バンパ１００に対し、その前方から衝撃が加わると、図４に示すようにバンパフェース１と共に、前記衝撃吸収部材３と前記下部補強部材４とが歩行者にかかる負荷を吸収しつつ潰れた状態となる。
このとき、図４に示すように、衝撃吸収部材３は略完全に潰れた状態となるが、下部補強部材４はその前方のみが潰れることにより、その断面形状がラッパ状となる。
すなわち図２に示すように、非衝突時において前記下部補強部材４は、少なくともその後端部４ｉに形成された一面４ｄがロアフレーム５の垂直前面５ａに全面接触した状態で取り付けられ、これにより下部補強部材４の車両後方側における剛性がより強化されている。さらに、その断面形状が六角形となっており、その対角線の１つが垂直線となるようになされている。そのため、前記垂直線上に位置する上下２つの頂点を夫々通る車幅方向の縁辺が折れ線となり、衝突時においては、下部補強部材４の前部分が潰されても、後部分は潰れずに形状を維持し、前記断面形状がラッパ状となって衝撃を受け止める。
【００２３】
このように、前記衝撃吸収部材３と下部補強部材４とが共に衝突の衝撃により潰されたときに、衝撃吸収部材３は略完全に潰されるが、下部補強部材４は、その前部分のみが潰された状態となる。
そのため、図４に示すように潰れて変形した下部補強部材４の先端部の方が、潰れて変形した衝撃吸収部材３の先端部よりも車両前方に突出した状態となる。
【００２４】
このように自動車用バンパ１００が構成されているため、歩行者脚インパクタ２０との衝突後の瞬時においては、図５に示すように潰れたエアダム部１ｂ（下側補強部材４）によって下脚２０ｂが払われる状態となる。これにより上脚２０ａは車両２００側に傾き、歩行者（脚インパクタ２０）は確実にフロントフード３０上に乗り上げるようになされている。
【００２５】
前記したように、自動車用バンパ１００においては、歩行者に衝突した際に、歩行者をフロントフード３０上に確実に乗り上げさせる構造であるため、歩行者の脚部に対する「曲げ角度」を軽減することができる。
また、前記衝撃吸収部材３と下部補強部材４とを夫々内包するメインバンパ部１ａとエアダム部１ｂとは共に、エネルギー吸収性が高い構造であり、歩行者の脚部に対する負荷を軽減することができる。特に、下部補強部材４は、潰れた形状がラッパ状となるため、接触する歩行者の下脚部に対する接触面が大きくなる。このため、負荷がより分散され、傷害値における「下脚Ｇ」の軽減を期待することができる。さらに、衝撃吸収部材３と下部補強部材４との双方により衝撃吸収が行われ、傷害値としての「せん断変位」が軽減される。
【００２６】
なお、前記した下部補強部材４においては、図２の断面形状において示す角度θ１およびθ２を、その成形時に調整することによって、車両前方からの衝撃に対する強度を取付車両に合わせて変えることが可能である。
すなわち前記断面形状における内角を可変とすることによって、下部補強部材４の強度を調整することができ、車種（レイアウト）毎に最適な強度調整を行なうことができる。
したがって、フロントフードを有する車両においては、車種（レイアウト）によらず、衝撃吸収部材３の潰れ残り先端部よりも、下部補強部材４の潰れ残り先端部が車両前方に突出した状態になすことができる。
尚、角度の調整は、角度閘１および閘２の両方を調整せずとも、いずれか一方のみを調整するようにしてもよい。また、角度閘１、閘２ではなく、角度閘３または閘４を調整するようにしてもよい。
【００２７】
また、前記第１の実施の形態で示した下部補強部材４は、その車両前後方向の断面形状において、前記下部補強部材４の前端部４ｈと後端部４ｉとの間の上方部と下方部のそれぞれに、一つの頂点４ｖが位置するように、１つの対角線が垂直線となるように取り付けられている。このため、前記対角線上に位置する上下２つの頂点４ｖを夫々通る車幅方向の縁辺、すなわち、図６（ａ）、（ｂ）に示すように上下に対向する縁辺４ｆを夫々凸状に形成してもよい（または、凹状に形成してもよい）。これにより、車両前方からの衝撃が加えられたときに、この縁辺４ｆに沿って折れ易くなり、下部補強部材４の前方のみが潰れるため、より確実にその断面形状をラッパ状にすることができる。
【００２８】
あるいはまた、図７（ａ）、（ｂ）に示すように前記第１の実施形態で示した下部補強部材４が有する面のうち、車両後方側の面に並列に複数の溝部４ｇを形成してもよい。
このように複数の溝部４ｇを形成することによって、下部補強部材４の車両後方側の剛性がより強化され、車両前方から衝突による衝撃を受けた際に、車両前方側のみがより潰れ易くなる。この結果、より確実にその断面形状をラッパ状にすることができる。
【００２９】
以上説明した本発明にかかる第１の実施形態によれば、エアダム部、すなわちフロントバンパ下部に位置する下部補強部材４の潰れ残りの先端部が、衝撃吸収部材３の潰れ残りの先端部よりも車両前方に位置するよう構成される。
したがって、衝突した歩行者の下脚部をエアダム部によって払い、歩行者を確実にボンネット上に乗り上げさせることができる。これにより、歩行者の下脚部に対する傷害値のうち、「曲げ角度」を軽減することができる。
また、このとき、前記下部補強部材４の前部が潰れることによって歩行者の下脚部にかかる負荷を吸収し、さらに、その車両前後方向の断面形状を確実にラッパ状にすることによって、歩行者の下脚部を広い面積で受け止め、負荷を分散させることができる。その結果、歩行者の下脚部に対する「下脚Ｇ」を軽減することができる。
さらに、衝撃吸収部材３と下部補強部材４との双方により衝撃吸収が行われ、傷害値としての「せん断変位」が軽減される。
【００３０】
なお、前記第１の実施の形態においては、下部補強部材４は、取付用プレート４ａによってロアフレーム５に取り付けられるが、前記下部補強部材４の取り付け方法についてはこれに限るものではない。例えば、図８に示すように、下部補強部材４の車両後方側の一面４ｄがロアフレーム５の車両前方側の垂直面５ａと接触した状態で、下部補強部材４の一面とバンパフェース１とがビス１１によって固定されるよう構成してもよい。
【００３１】
続いて、本発明にかかる第２の実施形態について、図９に基づき説明する。
図９（ａ）は、第２の実施形態に係る自動車用バンパの断面図である。また、図９（ｂ）は、エアダム部の組立前の展開状態を示す断面図である。
なお、図９において、前記した第１の実施形態と同一の機能および形状を有するものについては、同一の符号で示し、その詳細な説明は省略する。
【００３２】
図９（ａ）に示す自動車用バンパ１０１は、その外装を形成する樹脂製のバンパフェース１２と、内部が中空状態に形成され、車幅方向に延設されたアルミ合金製のバンパビーム２とを備える。さらに、前記バンパビーム２の前部に取り付けられ、前記バンパフェース１との間に介装された衝撃吸収部材３を備えている。
前記バンパフェース１２は、メインバンパ部１２ａと、その下方に形成されるエアダム部１２ｂとにより構成される。前記メインバンパ部１２ａは、衝撃吸収部材３を内包するように取り付けられ、前記エアダム部１２ｂは、その断面形状が略六角形に形成されることにより、下部補強部材として機能する。
【００３３】
エアダム部１２ｂは、バンパフェース１２の成形時において、図９（ｂ）に示すように展開された状態で成形される。この図９（ｂ）に示すように、エアダム部１２ｂには、車両後方に突出して形成された凸部１２ｇと、折曲自在に形成された支点部１２ｃと、車両前方に突出して形成された取付プレート１２ｅと、前記凸部１２ｇを嵌合する貫通孔１２ｆとが形成されている。
【００３４】
そして、組立時においては、支点部１２ｃを軸にエアダム後部を回転させ、貫通孔１２ｆに凸部１２ｇを嵌合し、クリップ１３によって固定することにより、エアダム部１２ｂが完成する。
このようにして組み立てられたエアダム部１２ｂは、その後方側の一面１２ｄがロアフレーム５の車両前方側の垂直面５ａと面接触した状態で、取付プレート１２ｅとビス１４によりラジエータロアフレーム５に取り付けられる。
【００３５】
このように第２の実施の形態によっては、エアダム部１２ｂの車両前後方向の断面形状を略六角形とし、下部補強部材として機能させることにより、前記した第１の実施の形態と同様の効果を得ることができる。
さらに、別個に下部補強部材を設ける必要がないため、車両の軽量化が図れると共に製造コストを低減することができ、また組立工程をより簡略化することができる。
【００３６】
なお、前記した第１および第２の実施の形態においては、下部補強部材４の車両前後方向における断面形状を多角形の一例として六角形としたが、本発明にかかる自動車用バンパにおいては、これに限るものではなく、例えば、五角形や八角形等でもよい。
【実施例】
【００３７】
前記第２の実施の形態に示したように、エアダム部の本体形状により下部補強部材を構成する自動車用バンパを用い、歩行者脚インパクタへの衝突実験を行なった。
本実施例においては、図１０に示すように、バンパフェースはメインバンパ部２１とエアダム部２２の２つの部材に分け、車両本体に取り付けた。前記メインバンパ部２１は、車両本体に対しビス２３、２４によって取り付け、エアダム部２２は、ロアフレーム５に対してビス２５、２６によって取り付けた。
【００３８】
また、前記エアダム部２２により、下部補強部材を構成した。すなわち、エアダム部２２をロアフレーム５に取り付けた状態で、前記下部補強部材としての車両前後方向の断面形状が六角形となるようにした。なお、このとき、ロアフレーム５の垂直面５ａが前記六角形の一辺を担い、その一辺の機械的強度が高いため、前記下部補強部材の後部強度が向上し、前部のみが潰れるようになすことができる。
また、エアダム部２２の下面に強度調整用の板２７を取り付け、さらに下部補強部材としての強度調整を行なった。
【００３９】
メインバンパ部２１とエアダム部２２に衝突させる歩行者脚インパクタの重量条件として、上脚を８．６ｋｇ、下脚を４．８ｋｇとした。また、衝突速度を１１．１ｍ／ｓとし、上脚に加わる衝撃のエネルギーをメインバンパ部２１で吸収し、下脚に加わる衝撃のエネルギーをエアダム部２２で吸収するように条件設定した。
【００４０】
図１１に本実施例の実験結果を示す。図１１のグラフにおいて、縦軸はバンパに加わる荷重を示し、横軸はバンパの潰れ変形量を示している。また、実線はメインバンパ部の潰れ特性を示し、破線はエアダム部２２の潰れ特性を示している。
この結果から、エアダム部２２に加わった荷重はメインバンパ部２１に加わった荷重よりも大幅に低く抑えられていることを確認することができる。
また、メインバンパ部２１の潰れ量は、エアダム部２２の潰れ量よりも大きく、その差αを確認することができる。すなわち、エアダム部２２のほうが車両前方に突出した状態となるため、衝突した歩行者はボンネット上に持ち上げられる。これにより、傷害値として「曲げ角度」が低減されることが判る。また、差αを小さく設定することで、傷害値として「せん断変位」を低減している。
さらに、エアダム部２２における荷重の変化は、変形量に対して急激な変化をすることなく増加しており、傷害値としての「下脚Ｇ」を低減していることが確認できる。
【産業上の利用可能性】
【００４１】
本発明にかかる自動車用バンパは、走行中の車両と歩行者の脚部とが衝突した際に、歩行者脚部への衝撃を緩和する自動車用バンパに好適に用いることができる。
【図面の簡単な説明】
【００４２】
【図１】図１は、第１の実施形態に係る自動車用バンパの概略構造を示す斜視透視図である。
【図２】図２は、第１の実施形態に係る自動車用バンパの断面図である。
【図３】図３は、図１の自動車用バンパが備える下部補強部材の斜視図である。
【図４】図４は図１の自動車用バンパが前方からの衝突衝撃により潰れた状態の断側面図である。
【図５】図５は、図１の自動車用バンパに歩行者脚インパクタが衝突した状態の側面図である。
【図６】図６は、下部補強部材の他の形態を示す図である。
【図７】図７は、下部補強部材のさらに他の形態を示す図である。
【図８】図８は、下部補強部材のさらに他の形態を示す図である。
【図９】図９は、第２の実施形態に係る自動車用バンパの断面図である。
【図１０】図１０は、実施例における自動車用バンパの断面図である。
【図１１】図１１は、実施例の結果を示すグラフである。
【図１２】図１２は、従来の自動車用バンパの断面図である。
【符号の説明】
【００４３】
１        バンパフェース
１ａ      メインバンパ部
１ｂ      エアダム部
２        バンパビーム
３        衝撃吸収部材
４        下部補強部材
４ｈ      前端部
４ｉ      後端部
４ｖ      頂点
５        ラジエータロアフレーム
１００    バンパ
２００    車両
【図１】
2005297726.tif 000003
【図２】
2005297726.tif 000004
【図３】
2005297726.tif 000005
【図４】
2005297726.tif 000006
【図５】
2005297726.tif 000007
【図６】
2005297726.tif 000008
【図７】
2005297726.tif 000009
【図８】
2005297726.tif 000010
【図９】
2005297726.tif 000011
【図１０】
2005297726.tif 000012
【図１１】
2005297726.tif 000013
【図１２】
2005297726.tif 000014